(57)【要約】【課題】目元、口元等、顔面の特定部位を部分的に照明し、部分メークアップを行い易いミラーキャビネットの照明装置を提供する。【解決手段】三面鏡を有するミラーキャビネットＭに設けられる照明装置であって、可動鏡６の回動端に延設されたスライドレール２と該スライドレール２に上下にスライド自在に弾性係止される照明部１とからなり、該照明部１には、上記可動鏡６の回動時のみに電源がオンとなり、通常は、電源をオフとするリミットスイッチ５が設けられる。【選択図】図１
2005270373.tif 000002
【特許請求の範囲】
【請求項１】
三面鏡を有するミラーキャビネットに設けられる照明装置であって、可動鏡の回動端に延設されたスライドレールと該スライドレールに上下にスライド自在に弾性係止される照明部とからなり、該照明部には、上記可動鏡の回動時のみに電源がオンとなり、通常は、電源をオフとするリミットスイッチが設けられたミラーキャビネットの照明装置。
【請求項２】
上記スライドレールが平断面略コの字型のベース部に丸棒状のスライド部が凸設されてなるとともに、上記照明部はこの丸棒状のスライド部に弾性係止する中空円筒部を内設する請求項１に記載のミラーキャビネットの照明装置。
【請求項３】
上記スライドレールが平断面略コの字型のミラーサッシであるとともに、上記照明部はこのミラーサッシを弾性的に挟持するクリップ構造である請求項１に記載のミラーキャビネットの照明装置。
【請求項４】
上記照明部が電池を電源とする照明器を備えた請求項１に記載のミラーキャビネットの照明装置。
【発明の詳細な説明】
【技術分野】
【０００１】
本発明は、ミラーキャビネットの照明装置に関する。さらに詳しくは、姿見や洗面化粧台等のミラーキャビネットに備えられた三面鏡に取付けられ、目元、口元等、顔面の特定部位を部分的に照明する照明装置に関する。
【背景技術】
【０００２】
例えば、洗面化粧台の照明は、通常、ミラーキャビネットの上部に備えられた蛍光灯や白熱灯が、上方から顔面を照らすようにして行なわれている。しかしながら、目元、口元等、顔面の特定部位を細かく化粧する、いわゆる部分メークアップをする場合、上方からの照明では十分ではないため、別途コンパクトな照明装置を移動可能に設ける技術が開示されている。
【特許文献１】特開２００１−１１２６５４号公報（第１−４頁、第２、４図）
【発明の開示】
【発明が解決しようとする課題】
【０００３】
しかしながら、上記した移動可能な照明装置で顔面を照明しても、近年の進歩した化粧技術を用いて、目元、口元等に細かい化粧を施すには不十分であり、さらに、上記顔面の特定部位のみのメークアップを行い易い照明装置が求められている。本発明はこのような状況の下で考え出されたものであって、目元、口元等、顔面の特定部位を部分的に照明し、部分メークアップを行い易いミラーキャビネットの照明装置を提供することを、その課題とする。
【課題を解決するための手段】
【０００４】
上記課題を解決するため、本発明においては、つぎのような技術的手段を講じている。すなわち、本発明によれば、三面鏡を有するミラーキャビネットに設けられる照明装置であって、可動鏡の回動端に延設されたスライドレールと該スライドレールに上下にスライド自在に弾性係止される照明部とからなり、該照明部には、上記可動鏡の回動時のみに電源がオンとなり、通常は、電源をオフとするリミットスイッチが設けられたミラーキャビネットの照明装置が提供される。
【０００５】
第一の実施形態においては、上記スライドレールは平断面略コの字型のベース部に丸棒状のスライド部が凸設されてなるとともに、上記照明部はこの丸棒状スライド部に弾性係止する中空円筒部を内設する。このとき、中空円筒部に弾性を付与するため、上記照明部は、硬質塩化ビニル、ポリプロピレン、ＡＢＳ、ポリカーボネート樹脂等、弾性を有する合成樹脂から一体的に形成されることが好ましい。
【０００６】
第二の実施形態においては、上記スライドレールは平断面略コの字型のミラーサッシであるとともに、上記照明部はこのミラーサッシを弾性的に挟持するクリップ構造とされる。このクリップ構造で構成される照明部は、付勢手段により常に付勢されてミラーサッシを弾性的に挟持しているが、把手を押えて付勢を解除することにより上下に任意にスライド移動することができる。
【０００７】
上記照明部には電池を電源とする照明器が備えられる。好ましくは、少ない消費電力で効率よく照明できるとともに、コンパクトなＬＥＤ（発光ダイオード）が用いられる。
【発明の効果】
【０００８】
請求項１に記載の発明は上記のとおりであり、スライドレールに弾性係止された照明部を上下にスライド自在に移動して、可動鏡の回動端を手前に引き、顔面の特定部位を照明できるため、目元、口元等の部分メークアップを容易に行なえる。また、上記照明部には、可動鏡の回動時のみに電源がオンとなり、通常は、電源をオフとするリミットスイッチが設けられているため、部分メークアップを終わった後、可動鏡を閉じると自動的に電源がオフとなり、電源の切り忘れを防ぐことができる。
【０００９】
第一の実施形態においては、上記スライドレールは平断面略コの字型のベース部に丸棒状のスライド部が凸設されてなるとともに、上記照明部はこの丸棒状スライド部に弾性係止する中空円筒部を内設しているため、照明部をスムースに上下移動することができる。
【００１０】
第二の実施形態においては、上記スライドレールが平断面略コの字型のミラーサッシであるとともに、上記照明部はこのミラーサッシを弾性的に挟持するクリップ構造とされているため、照明部をスムースに上下移動することができる。
【００１１】
また、上記照明部は電池を電源とする照明器を備えているため、例えば、ＬＥＤを用いることによりコンパクト、かつ、少ない消費電力で効率よく照明できる。
【発明を実施するための最良の形態】
【００１２】
以下、本発明の実施形態について図面を参照して、詳細に説明する。図１は、本発明の第一実施形態にかかるミラーキャビネットの照明装置Ａを示す部分分解斜視図である。図１からよくわかるように、上記照明装置Ａは、三面鏡を有するミラーキャビネットＭの左側の可動鏡６の回動端に設けられたスライドレール２と、照明部１とから構成される。上記スライドレール２は、平断面略コの字型のベース部２１に丸棒状のスライド部２２が凸設されてなり、照明部１には中空円筒部１２が内設されるとともに、この中空円筒部１２がスライド部２２に上下にスライド自在に弾性係止する。さらに、照明部１はリミットスイッチ５によりオン、オフされる照明器１１を備える。本実施形態においては、照明器１１としてＬＥＤが用いられる。
【００１３】
図２（ａ）、図２（ｂ）は上記照明装置Ａの動作を説明する説明図である。図２（ａ）は、例えば目元を部分メークアップするために照明部１を上下にスライド移動して最適位置を選び、可動鏡６の回動端を手前に引いて顔面に近づけた状態を示す。この状態においては、図示しないマグネットキャッチによってミラーキャビネットＭの背板７に電磁吸着されていた可動鏡６の回動端が手前に回動するとともに、リミットスイッチ５のセンサ５１がフリーとなり、照明器１１に通電され、オンとなって使用者の目元を照らす。図２（ｂ）は、可動鏡６を元の位置に戻し、センサ５１が背板７に押されて電源を切り、照明器１１がオフとなった状態を示す。
【００１４】
図３（ａ）、図３（ｂ）は上記に関連するリミットスイッチ５の動作を説明する平断面図である。図３（ａ）は、リミットスイッチ５のセンサ５１がフリーとなって復帰バネ５２が働き、照明器１１がオンの状態を示し、図３（ｂ）は、センサ５１が押されて復帰バネ５２を縮退させ、照明器１１がオフとなった状態を示す。
【００１５】
図４は、本発明の第二実施形態にかかるミラーキャビネットの照明装置Ｂを示す部分斜視図である。図４からよくわかるように、上記照明装置Ｂは、三面鏡を有するミラーキャビネットＭの左側の鏡６の回動端に延設された平断面略コの字型のミラーサッシ４と、このミラーサッシ４を弾性的に挟持する照明部３とからなる。照明部３は常に付勢状態にあるクリップ構造とされるとともに、ミラーサッシ４に弾接して係止する係止片３２を備えており、把手３３を押えて付勢を解除すると、把手３３と連動する係止片３２の係止も解除され、容易に上下にスライド移動することができる。さらに、照明部３は照明器３１を備え、この照明器３１は、第一実施形態と同様にリミットスイッチ５により、電源がオン、オフされる。
【００１６】
図５は、上記第一実施形態にかかるミラーキャビネットの照明装置Ａを洗面化粧台に適用した例を示す斜視図である。図５から、可動鏡６の回動端を回動すれば、照明部１が顔面の特定部位を照明できることが明らかであり、かくして、目元、口元等の部分メークアップを容易に行なうことができる。なお、第一、第二実施形態において、照明部１、３は左側の可動鏡６の回動端に弾性係止されているが、図示しない右側の可動鏡の回動端に弾性係止してもよい。さらに、左右両側の可動鏡の回動端に設けてもよい。また、照明器１１、３１の電源は電池とされているが、電池に限られず、家庭用の交流電源を用いてもよい。このように、本発明は種々設計変更可能であり、特許請求の範囲を逸脱しない限りいずれも本発明の技術的範囲に含まれる。
【図面の簡単な説明】
【００１７】
【図１】本発明の第一実施形態にかかるミラーキャビネットの照明装置を示す部分分解斜視図である。
【図２】（ａ）図１に示す照明装置がオンとなった状態を示す説明図である。（ｂ）図１に示す照明装置がオフとなった状態を示す説明図である。
【図３】（ａ）リミットスイッチが電源をオンとする状態を示す平断面図である。（ｂ）リミットスイッチが電源をオフとする状態を示す平断面図である。
【図４】本発明の第二実施形態にかかるミラーキャビネットの照明装置を示す部分斜視図である。
【図５】第一実施例にかかるミラーキャビネットの照明装置を洗面化粧台に適用した例を示す斜視図である。
【符号の説明】
【００１８】
Ａ          第一実施形態にかかるミラーキャビネットの照明装置
１          照明部
１１        照明器
１２        中空円筒部
２          スライドレール
２１        ベース部
２２        丸棒状のスライド部
Ｂ          第二実施形態にかかるミラーキャビネットの照明装置
３          照明部
３１        照明器
３２        係止片
３３        把手
４          ミラーサッシ
５          リミットスイッチ
５１        センサ
５２        復帰バネ
６          可動鏡
７          ミラーキャビネットの背板
Ｍ          ミラーキャビネット
【図１】
2005270373.tif 000003
【図２】
2005270373.tif 000004
【図３】
2005270373.tif 000005
【図４】
2005270373.tif 000006
【図５】
2005270373.tif 000007